(57)【特許請求の範囲】
【請求項１】
基板に取り付けられたＬＥＤと、
画像を撮像するカメラと、
前記カメラが撮像した画像を格納するメモリと、
前記ＬＥＤの点灯、前記カメラの撮像および前記カメラからメモリへの画像の格納を制御する制御部と、
前記ＬＥＤ、前記カメラ、前記メモリおよび前記制御部に電力を供給する電源と、
前記ＬＥＤ、前記カメラ、前記メモリ、前記制御部および前記電源を一括して収納するケース本体と、
前記ケース本体の開口部を覆うケースカバーと、を有し、
前記制御部は、前記カメラのＣＭＯＳセンサが検出する明るさを用いて前記ＬＥＤの点灯および消灯を制御し、
前記電源は、前記ＬＥＤの点灯、前記カメラの撮像および前記カメラからメモリへの画像の格納において兼用され、
前記ケースカバーには、前記ＬＥＤの光が前記カメラに直接入り込まないように前記カメラのレンズを取り囲むように形成された遮光壁を有する防水カバーが配置されることを特徴とする防犯灯。
【請求項２】
前記ケース本体は、分割板によって第１区画部と第２区画部に区画され、前記ＬＥＤおよび前記電源は前記第１区画部に収納され、前記カメラおよび前記メモリは前記第２区画部に収納され、前記制御部は、少なくとも前記第１区画部および前記第２区画部のいずれかに収納されることを特徴とする請求項１に記載の防犯灯。
【請求項３】
前記ケースカバーは、防水カバーを収容する空間部を有し、
前記空間部は、前記カメラのレンズに臨む開口部を有し、
前記防水カバーは、前記遮光壁が前記開口部を介して前記カメラのレンズの周囲を取り囲むように、前記空間部に配置されることを特徴とする請求項１または２に記載の防犯灯。
【請求項４】
前記空間部は、前記メモリを着脱するための着脱口を有し、
前記メモリは前記着脱口を介して前記ケース内に設けたメモリスロットに着脱自在に取り付けられ、
前記防水カバーが前記空間部に配置されると前記防水カバーが前記着脱口を塞ぐことを特徴とする請求項３に記載の防犯灯。
【請求項５】
前記制御部は、前記カメラによって撮像された画像を前記メモリに記憶させる際に、撮像日時を付して格納することを特徴とする請求項１から４のいずれかに記載の防犯灯。
【請求項６】
前記制御部は、前記メモリに記憶させた画像の容量が前記メモリの記憶容量を超えると、古い画像に代えて新しい画像を更新記憶させることを特徴とする請求項５に記載の防犯灯。
【請求項７】
前記制御部は、当該制御部自体に異常を生じたときに点灯する警報ＬＥＤを有することを特徴とする請求項１から６のいずれかに記載の防犯灯。
【発明の詳細な説明】
【技術分野】
【０００１】
本発明は、画像を記録する機能が内蔵された防犯灯に関する。
【背景技術】
【０００２】
近年、路上における犯罪や事故が増加傾向にある。このため、路側には、万人が安心して道路を通行できるように、より高機能の街路灯や防犯灯が設けられつつある。
【０００３】
最近では、カメラおよび通信技術の進歩により、下記特許文献１に示すように、街路灯や防犯灯の支柱部分に監視カメラを取り付けて、緊急時の監視と通報を可能にした緊急通報システムが用いられている。
【先行技術文献】
【特許文献】
【０００４】
【特許文献１】特開２００２−２９８２６０号公報
【発明の概要】
【発明が解決しようとする課題】
【０００５】
しかし、従来の緊急通報システムは、既存の街路灯や防犯灯の支柱を用いることができるものの、監視や通報のための工事が必要になる。
【０００６】
現在、蛍光灯や水銀灯を光源とする、防犯灯、道路灯、街路灯、外灯、公園灯、駐車場灯、などの外部照明が、全国的に設置されている。これらの外部照明は、寿命のため、省エネのために、長寿命省エネルギーが特徴であるＬＥＤを光源とする照明に交換されつつある。
【０００７】
これらの外部照明の交換に際し、防犯機能を備えた防犯灯への交換を、特段の工事をすることなく、簡単にできるようにすれば、防犯灯を一気に普及させることができ、容易に路上の監視が強化できる。
【０００８】
本発明は、以上のような従来の技術に鑑みて成されたものであり、画像を記録する機能が内蔵された防犯灯の提供を目的とする。
【課題を解決するための手段】
【０００９】
上記目的を達成するための本発明に係る防犯灯は、ＬＥＤ、カメラ、メモリおよびケースを有する。
【００１０】
ＬＥＤは基板に取り付けられている。カメラは画像を撮像する。メモリはカメラが撮像した画像を格納する。ケースは、ＬＥＤ、カメラ、メモリを一括して収納する。
【発明の効果】
【００１１】
以上のような構成を有する、本発明に係る防犯灯によれば、カメラとメモリを設けているので防犯機能を備えることができる。また、ケースにＬＥＤ、カメラおよびメモリを一括して収納しているので、単に、既設の外部照明と交換するだけで、防犯機能を備えた防犯灯が設置できる。
【図面の簡単な説明】
【００１２】
【図１】本実施形態にかかる防犯灯の分解斜視図である。
【図２】本実施形態にかかる防犯灯の防水カバーの取り付け状態を示す斜視図である。
【図３】本実施形態にかかる防犯灯の外観図を示す斜視図である。
【図４】本実施形態にかかる防犯灯の制御部のブロック図である。
【図５】本実施形態にかかる防犯灯の制御部の動作を示すフローチャートである。
【図６】図５のステップＳ１２０の処理を示すサブルーチンフローチャートである。
【図７】図５のステップＳ１３０の処理を示すサブルーチンフローチャートである。
【発明を実施するための形態】
【００１３】
以下、図面を参照しながら、本実施形態にかかる防犯灯を詳細に説明する。
【００１４】
（防犯灯の構成）
［防犯灯の機械的構成］
図１から図３に示すように、本実施形態にかかる防犯灯１００はケース１１０を備える。ケース１１０は、ケース本体１１２とケースカバー１１４とからなる。
【００１５】
図１に示すように、ケース本体１１２の外周部１１５には、ケース本体１１２とケースカバー１１４との隙間を密閉して防水するためのゴム製のパッキン１１６が配置されている。
【００１６】
ケース本体１１２には、ケース本体１１２を横断するように分割板１１８が設けられている。ケース本体１１２は、分割板１１８によって第１区画部１１９Ａと第２区画部１１９Ｂに区画される。
【００１７】
第１区画部１１９Ａには、電源基板１２０とＬＥＤ基板１３０とが収納される。第２区画部１１９Ｂには、制御基板１４０とカメラ/メモリ基板１５０とが収納される。
【００１８】
電源基板１２０はケース本体１１２の第１区画部１１９Ａにねじ止めして取り付ける。さらに、電源基板１２０に被せるようにしてＬＥＤ基板１３０をケース本体１１２にねじ止して取り付ける。
【００１９】
制御基板１４０はケース本体１１２の第２区画部１１９Ｂにねじ止めして取り付ける。さらに、制御基板１４０に被せるようにしてカメラ/メモリ基板１５０をケース本体１１２にねじ止めして取り付ける。
【００２０】
電源基板１２０は、ＬＥＤ基板１３０、制御基板１４０およびカメラ/メモリ基板１５０に電力を供給する。電源基板１２０の電源はＬＥＤ基板１３０の照射ＬＥＤの点灯とカメラ/メモリ基板１５０のカメラの撮像において兼用できる電源である。
【００２１】
ＬＥＤ基板１３０には、複数の照射ＬＥＤ１３２（本実施形態では６直列）が連なるように取り付けられている。ＬＥＤ基板１３０の、照射ＬＥＤ１３２が取り付けられている面とは反対側の面には、照射ＬＥＤ１３２を点灯させるための定電流回路などの点灯制御回路が形成されている。本実施形態では、６直列の照射ＬＥＤ１３２としたが、これ以外に１２直列の照射ＬＥＤ１３２としても良い。何直列の照射ＬＥＤとするかは後述する（段落００６１及び００６２参照）。
【００２２】
電源基板１２０とＬＥＤ基板１３０は、制御基板１４０およびカメラ/メモリ基板１５０に比較して発熱量が大きい。このため、電源基板１２０とＬＥＤ基板１３０を第１区画部１１９Ａに収納している。
【００２３】
分割板１１８が有ることによって、電源基板１２０とＬＥＤ基板１３０の熱が第２区画部１１９Ｂから遮断される。このため、熱の悪影響を受けやすいカメラおよびメモリの高寿命化を図ることができる。また、通常は、屋外にカメラを設置する場合、カメラ専用の屋外ハウジングを用いるが、分割板１１８によって、屋外ハウジングが不要になる。
【００２４】
制御基板１４０には、防犯灯１００の動作を全体的に制御する制御回路が形成されている。制御回路の詳しい構成および動作は後述する。
【００２５】
カメラ/メモリ基板１５０は、ＣＭＯＳセンサを備えたカメラ１５２とメモリを差し込むメモリスロット１５４とを有する。カメラ１５２は、一定の時間間隔で画像を撮像し、撮像した画像はメモリスロット１５４に差し込まれているＳＤメモリカードなどのメモリに格納される。
【００２６】
なお、メモリスロット１５４に差し込むことができるメモリとしては、ＳＤメモリカード、メモリスティック、コンパクトフラッシュメモリなど、カードタイプのメモリを用いることが好ましい。また、メモリは記録時間を長くするためにはできるだけ容量の大きなものを用いることが好ましい。
【００２７】
図２および図３に示すように、照射ＬＥＤ１３２の光がカメラ１５２に直接入り込まないようにカメラに対して遮光する機能と、メモリスロット１５４をカバーする機能と、を備えた防水カバー１６０が配置される。防水カバー１６０は照射ＬＥＤ１３２の光を利用した夜間の撮像を可能とする。防水カバー１６０を配置すると、カメラ１５２に、夜間撮像用の赤外線発光デバイスを別途設ける必要がなくなるので、防犯灯１００の小型化とコスト低減が達成できる。
【００２８】
ケースカバー１１４は、図１に示すように、防水カバー１６０を収容するために窪ませた空間部１６２を有する。空間部１６２は、カメラ１５２のレンズに臨む開口部１６４とメモリスロット１５４に臨む着脱口１６６とを有する。カメラ１５２は開口部１６４を介して道路の画像を撮像する。カードメモリは、着脱口１６６を介してメモリスロット１５４に抜き差しされる。
【００２９】
防水カバー１６０はカメラ１５２のレンズを取り囲むように形成された遮光壁１６５を有する。遮光壁１６５は、カメラ１５２のレンズに向けて縮径されるようにすり鉢状に形成されている。遮光壁１６５の色は光が反射し難い黒色系が好ましい。また、遮光壁１６５の表面は艶消しのような塗装又は加工がされていることが好ましい。
【００３０】
したがって、遮光壁１６５は、照射ＬＥＤ１３２が点灯されている夜間は、照射ＬＥＤ１３２からの光がカメラ１５２に直接入り込むことを防止でき、カメラ１５２は照射ＬＥＤ１３２によって照らされる道路上の鮮明な画像を撮像できる。もちろん昼間は、遮光壁１６５がカメラ１５２に直接入り込む太陽の光を遮ることができ、カメラ１５２は道路上の鮮明な画像を撮像できる。
【００３１】
ケースカバー１１４は、図１のように、ケース本体１１２に設けられている取り付け孔１１３Ａ−１１３Ｄにねじ止めすることで取り付けられる。ケースカバー１１４がケース本体１１２に取り付けられると、図２および図３に示すように、ケースカバー１１４はケース本体１１２の開口部を完全に密閉した状態で覆う。
【００３２】
図２および図３に示すように、防水カバー１６０は、ケース本体１１２に取り付けたケースカバー１１４の空間部１６２に嵌め込むように位置され、ケース本体１１２の取り付け孔１１７にネジ留めされる。
【００３３】
防水カバー１６０が取り付けられると、図１から図３に示すように、防水カバー１６０の遮光壁１６５は、開口部１６４を介して、カメラ１５２のレンズの周囲を取り囲むように位置される。また、図１および図２に示すように、防水カバー１６０によって空間部１６２に開口されている着脱口１６６が閉止される。
【００３４】
防水カバー１６０が取り付けられた状態では、開口部１６４に臨むカメラ１５２と、着脱口１６６は、完全に密閉され、水分がケース１１０内に入らないように防水されることが好ましい。メモリスロット１５４へのメモリの抜き差しが容易にできるようにするため、防水カバー１６０に、着脱口１６６に対峙する取り出し用カバーを設けるようにしても良い。
【００３５】
［防犯灯の電気的構成］
図４は、本実施形態にかかる防犯灯の制御部のブロック図である。図４に示す制御部２００は、図１に示す電源基板１２０、ＬＥＤ基板１３０、制御基板１４０及びカメラ/メモリ基板１５０上に形成される。
【００３６】
制御部２００は、ＬＥＤ駆動部２２０、抵抗器２３２、２３４、スイッチ２３６、明暗センサ２４０、比較部２４２、リセット信号出力部２４４、定電流源２５０、防犯監視ＬＥＤ２５２、スイッチ２５４、ＤＣ／ＤＣコンバータ２６０、警報ＬＥＤ２６２、スイッチ２６４、カメラ/メモリ基板１５０、カメラ１５２、メモリ１５４Ｍ、ＬＥＤ基板１３０を備える。
【００３７】
ＬＥＤ基板１３０、カメラ/メモリ基板１５０、カメラ１５２については上述した通りである。
【００３８】
ＬＥＤ駆動部２２０は、商用電源２１０の交流電流を直流電流に変換してＤＣ／ＤＣコンバータ２６０及びＬＥＤ基板１３０に供給する。ＬＥＤ駆動部２２０には抵抗器２３２および抵抗器２３４が接続されている。これらの抵抗器２３２、２３４はＬＥＤ駆動部２２０が出力する直流電流値を制御する。
【００３９】
具体的には、夜間は、ＬＥＤ駆動部２２０に抵抗器２３２のみが接続されて、ＬＥＤ駆動部２２０はＤＣ/ＤＣコンバータ２６０およびＬＥＤ基板１３０の両方を駆動するのに十分な大きさの直流電流を出力する。
【００４０】
一方、昼間は、ＬＥＤ駆動部２２０に抵抗器２３２および２３４が接続されて、ＬＥＤ駆動部２２０はＤＣ/ＤＣコンバータ２６０のみが駆動できる程度（カメラ１５２が動作できる程度）の大きさの直流電流を出力する。
【００４１】
明暗センサ２４０は、カメラ１５２が備えるＣＭＯＳセンサを共用する。つまり、カメラ１５２のＣＭＯＳセンサは、路上の撮像のためと昼夜を検出するためのセンサの両方に用いられる。明暗センサ２４０は外部の明るさに応じた大きさの信号を出力する。明暗センサ２４０は、外部の明るさが検出しやすいような、ケース１１０（図１参照）の内部または外部に取り付ける。カメラ１５２のＣＭＯＳセンサを明暗センサ２４０と併用することで、明暗センサ２４０を単独で設ける必要がなくなり、防犯灯１００の小型化と低コスト化が達成できる。
【００４２】
比較部２４２は、明暗センサ２４０が出力する信号の大きさを閾値と比較する。比較部２４２は、明暗センサ２４０によって検出される外部の明るさが閾値を超える昼間には信号を出力する。一方、明暗センサ２４０によって検出される外部の明るさが閾値を下回る夜間には信号を出力しない。
【００４３】
スイッチ２３６は、比較部２４２から信号が出力されている間、ＯＮになる。つまり、スイッチ２３６は、外部が昼間の間だけＯＮする。スイッチ２３６がＯＮしている間、並列に接続された抵抗器２３２と２３４がＬＥＤ駆動部２２０に接続される。抵抗器２３２および抵抗器２３４が並列にＬＥＤ駆動部２２０に接続されると、ＬＥＤ駆動部２２０から出力される直流電流がＤＣ/ＤＣコンバータ２６０のみが駆動できる程度にまで低下する。
【００４４】
リセット信号出力部２４４は、比較部２４２から信号が出力された時にリセット信号を出力する。一方、リセット信号出力部２４４は、比較部２４２から信号が出力されなくなった時にはリセット信号は出力しない。リセット信号はカメラ/メモリ基板１５０に入力される。カメラ/メモリ基板１５０はリセット信号によって初期化される。
【００４５】
したがって、カメラ/メモリ基板１５０は夜間から昼間に切り替わる時に一日に一度だけ初期化される。一日に１回リセットをかけることによってカメラ/メモリ基板１５０自体の異常の継続を回避する。万が一、カメラ/メモリ基板１５０側で暴走したときでも自動的に復帰させることができるため、メンテナンスフリーが実現でき、防犯灯にとっては重要な機能となる。
【００４６】
定電流源２５０は、ＬＥＤ基板１３０のＬＥＤ  ＰＣＢがオープンとなったときに、制御部２００を保護するために設けてある。
【００４７】
スイッチ２５４は、比較部２４２から信号が出力されている間、ＯＮになる。つまり、スイッチ２５４は、外部が昼間の間だけＯＮする。スイッチ２５４がＯＮしている間、防犯監視ＬＥＤ２５２が点灯する。防犯監視ＬＥＤ２５２は、カメラ１５２が動作していることを表示する。昼間の防犯灯の動作を確認できるようにするためである。
【００４８】
防犯監視ＬＥＤ２５２が点灯しているときには、ＬＥＤ駆動部２２０から出力されている、ＤＣ/ＤＣコンバータ２６０のみが駆動できる程度の直流電流が、防犯監視ＬＥＤ２５２の両端の電圧を決める。この電圧はＤＣ/ＤＣコンバータ２６０の駆動電圧になる。
【００４９】
ＤＣ/ＤＣコンバータ２６０は、ＬＥＤ駆動部２２０が出力している直流電流を用いてカメラ／メモリ基板１５０を動作させるための適切な直流電圧を出力し、カメラ／メモリ基板１５０に印加する。
【００５０】
警報ＬＥＤ２６２は、カメラ/メモリ基板１５０が、カメラ１５２の録画異常を検出したり、メモリ１５４Ｍの通信異常を検出したり、カメラ/メモリ基板１５０が警告を出力したりしたときに、ＯＮされるスイッチ２６４によって点灯される。警報ＬＥＤ２６２は、検出した異常の種類によって、発光色が変わるようにしても良い。
【００５１】
スイッチ２６４は、カメラ/メモリ基板１５０が録画異常、通信異常、警告を出力している間、ＯＮされる。
【００５２】
カメラ/メモリ基板１５０はカメラ制御回路、メモリ保存回路を備えている。カメラ制御回路はカメラの撮像状態、状態異常監視を常時行い、撮像状態または状態異常監視の結果に異常を来したときに録画異常を出力する。メモリ保存回路は、メモリ１５４Ｍとマイコンとの間の通信状態をモニタし、いずれかからの応答が得られないようなときに通信異常を出力する。カメラ/メモリ基板１５０自体は、カメラ/メモリ基板１５０のマイコンが処理するソフトウェアのメインループが正常に回らなくなったときに警報を出力する。
したがって、警報ＬＥＤ２６２の点灯は、カメラ/メモリ基板１５０に異常が生じたことを知らせる。
【００５３】
メモリ１５４Ｍは、カメラ１５２で撮像した画像を記憶する。メモリ１５４Ｍの記憶容量は、防犯灯１００が一定時間ごとに間欠的に１０日間撮像する画像が記憶できる程度である。もちろん記憶容量が大きいに越したことはない。メモリ１５４Ｍの記憶容量を超えると、古い画像は新しい画像に書き換えられる。たとえば、１１日目以降に撮像される画像は１日目に記憶されていた画像に上書きされる。メモリ１５４Ｍの寿命や異常は、カメラ/メモリ基板１５０によって、通信異常という形態で出力され、警報ＬＥＤ２６２の点灯によって知ることができる。
【００５４】
なお、メモリ１５４Ｍに記憶する画像には撮像日時を付すことが有効である。撮像日時を画像に付すには、防犯灯１００に時計機能を持たせる必要がある。時計機能を待たせる場合には、時計を合わせるための設定装置が必要になる。しかし、手の届かないような高い場所に設置する防犯灯１００に設定装置を設けることは適切ではない。
【００５５】
そのため、本実施形態では、カメラ/メモリ基板１５０にＧＰＳ受信機を実装する。ＧＰＳ受信機で受信した時間データを利用して撮像した画像に日時を付す。この場合、ＧＰＳ受信機を設ける分コスト高になる。
【００５６】
防犯灯１００は、撮像した画像の日時を記録する必要があるため、日時情報を設定する必要がある。日時情報を設定するためには、一般的には日時を設定する設定ボタンと、設定日時を表示する表示部が必要となる。
【００５７】
防犯灯１００には設定ボタンも表示部も無いのが一般的であるので、ＧＰＳ受信機を備えた日時設定治具（ＧＰＳ受信機（時刻取得用）＋日時設定スイッチ）を生産設備として用意しておき、カメラ付防犯灯の製造段階で、その日時設定治具を用いて、時刻設定をするようにすれば、上記のように、ＧＰＳ受信機を実装させる必要はなくなる。このため、上記のように、ＧＰＳ受信機を設ける分のコスト高は解消される。
【００５８】
さらに他の一つの方法は、メモリ１５４Ｍから撮像画像を取り出した時刻から、画像のファイル数をカウントする（画像は一定時間ごとに撮像されていることが必要）ことによって、その画像の撮像時刻を推定することである。この方法であれば、時刻を合わせる機器は必要ない。
【００５９】
なお、一度設定した時刻は、時計バックアップ用の一次電池、または、二次電池によって保持される。特に、一次電池および二次電池を併用することで、防犯灯１００の設置までは一次電池によって時刻を保持させ、設置した後の停電に対しては二次電池で保持させることが可能になる。
【００６０】
本実施形態では、上記の３つのいずれかの方法を用いて、撮像された画像の日時を特定できるようにする。
【００６１】
なお、本実施形態では、１０ＶＡ６直列タイプのＬＥＤ基板１３０を例示しているが、２０ＶＡ１２直列のＬＤＥ基板１３０を用いることも可能である。本実施形態では、ＬＥＤ駆動部２２０をカメラ/メモリ基板１５０の電源としても使用するために、ＬＥＤ基板１３０の６直列の照射ＬＥＤ１３２の点灯に必要な電圧とカメラ/メモリ基板１５０のみの駆動に必要な電圧との差が大きくなるようにしている。このため、１０ＶＡ６直列タイプのＬＥＤ基板１３０を用いている。
【００６２】
６直列の照射ＬＥＤ１３２は最終的にＬＥＤ駆動部２２０からの定電流で点灯している。このときの定電流は、カメラ/メモリ基板１５０とＬＥＤ基板１３０の駆動には十分な電圧を生成できる。一方、ＬＥＤ駆動部２２０がカメラ/メモリ基板１５０のみを駆動させるために必要な定電流を出力しているときには、ＬＥＤ基板１３０の駆動には不十分な電圧しか生成できず、６直列の照射ＬＥＤ１３２は点灯しない。
【００６３】
このように、本実施形態では、ＬＥＤ駆動部２２０によって、カメラ/メモリ基板１５０駆動用と、カメラ/メモリ基板１５０およびＬＥＤ基板１３０の両方を同時に駆動させるための駆動用の電圧が生成でき、電源が共有化される。したがって、カメラ/メモリ基板１５０とＬＥＤ基板１３０との専用の電源を別々に設ける必要はなくなる。
【００６４】
このため、防犯灯１００を取り付けるときに、カメラ用の電源工事を行うことなく通常の電源工事のみを行えば良い。
【００６５】
［防犯灯の動作］
本実施形態にかかる防犯灯の動作を、図５から図７に示すフローチャートを参照しながら説明する。図５は、本実施形態にかかる防犯灯の制御部の動作を示すフローチャートである。
【００６６】
本実施形態にかかる防犯灯１００が道路上に取り付けられ、電源がＯＮされると（ステップＳ１００）、比較部２４２は明暗センサ２４０から出力される信号を用いて、昼間であるか、夜間であるか、判断する（ステップＳ１１０）。
【００６７】
昼間であれば（ステップＳ１１０：昼間）、防犯監視ＬＥＤ２５２が点灯され、ＬＥＤ基板の照射ＬＥＤ１３２が消灯され、カメラ１５２が録画状態とされて、撮像された画像が一定時間ごと（たとえば３０分ごと）にメモリ１５４Ｍに記憶される（ステップＳ１３０）。
【００６８】
一方、夜間であれば（ステップＳ１１０：夜間）、防犯監視ＬＥＤ２５２が消灯され、ＬＥＤ基板の照射ＬＥＤ１３２が点灯され、カメラ１５２が録画状態とされて、撮像された画像が一定時間ごと（たとえば３０分ごと）にメモリ１５４Ｍに記憶される（ステップＳ１３０）。
【００６９】
次に、カメラ/メモリ基板１５０は、録画異常、通信異常、または警告のいずれかが発生したか否かを判断する（ステップＳ１４０）。
【００７０】
録画異常、通信異常、または警告のいずれかが発生していれば（ステップＳ１４０：ＹＥＳ）、カメラ/メモリ基板１５０は録画異常、通信異常、または警告のいずれかの信号を出力する。この信号が出力されるとスイッチ２６４がＯＮとなり、警報ＬＥＤ２６２が点灯される。この点灯により防犯灯１００の動作に異常が生じたことがわかる（ステップＳ１５０）。
【００７１】
なお、録画異常、通信異常、または警告のいずれかが発生していなければ（ステップＳ１４０：ＯＮ）、ステップＳ１５０の処理は行われず、警報ＬＥＤ２６２は点灯されない。
【００７２】
次に、比較部２４２は明暗センサ２４０から出力される信号を用いて、夜間から昼間に遷移したか否かを判断する（ステップＳ１６０）。
【００７３】
夜間から昼間に遷移して比較部２４２から信号が出力されると、リセット信号出力部２４４からリセット信号が出力される。リセット信号はカメラ/メモリ基板１５０の動作をリセットする（ステップＳ１７０）。
【００７４】
なお、昼間から夜間に遷移するときには、比較部２４２から信号が出力されず、リセット信号出力部２４４からリセット信号は出力されない。したがって、カメラ/メモリ基板１５０の動作はリセットされない。
【００７５】
ステップＳ１００からステップＳ１７０までの処理は電源がＯＮされている限り繰り返し行われる。
【００７６】
図６は、図５のステップＳ１２０の処理を示すサブルーチンフローチャートである。
【００７７】
ステップＳ１１０で昼間であると判断されると（ステップＳ１１０：昼間）、比較部２４２から信号が出力され、スイッチ２３６、２５４がＯＮされる（ステップＳ１２１）。
【００７８】
スイッチ２３６がＯＮされると、ＬＥＤ駆動部２２０に、並列に接続された抵抗器２３２、２３４が接続される。これにより、ＬＥＤ駆動部２２０から出力される電流値が低下される（ステップＳ１２２）。
【００７９】
また、スイッチ２５４がＯＮされると、防犯監視ＬＥＤ２５２が点灯し、防犯灯１００が動作していることが示される（ステップＳ１２３）。
【００８０】
ＬＥＤ駆動部２２０から出力される電流値が低下されると、ＬＥＤ駆動部２２０から出力される電流では、ＬＥＤ基板１３０の照射ＬＥＤ１３２を点灯させることができないので、カメラ/メモリ基板１５０のみが動作される（ステップＳ１２４）。
【００８１】
図７は、図５のステップＳ１３０の処理を示すサブルーチンフローチャートである。
【００８２】
ステップＳ１１０で夜間であると判断されると（ステップＳ１１０：夜間）、比較部２４２から信号が出力されなくなり、スイッチ２３６、２５４がＯＦＦされる（ステップＳ１３１）。
【００８３】
スイッチ２３６がＯＦＦされると、ＬＥＤ駆動部２２０に、抵抗器２３２のみが接続される。これにより、ＬＥＤ駆動部２２０から出力される電流値が増加される（ステップＳ１３２）。
【００８４】
また、スイッチ２５４がＯＦＦされると、防犯監視ＬＥＤ２５２が消灯する（ステップＳ１３３）。
【００８５】
ＬＥＤ駆動部２２０から出力される電流値が増加されると、ＬＥＤ駆動部２２０から出力される電流で、カメラ/メモリ基板１５０を動作させおよびＬＥＤ基板１３０の照射ＬＥＤ１３２を点灯させる（ステップＳ１３４）。
【００８６】
以上のように、本実施形態にかかる防犯灯によれば、カメラとメモリを設けているので防犯機能を有する防犯灯を構成することができる。また、既設の外部照明と交換するだけで防犯機能を有する防犯灯の設置が可能になる。
【００８７】
さらに、防水カバーが設けてあるためＬＥＤの光で夜間の撮像をすることができる。夜間撮像用の赤外線発光デバイスが不要になる。
【００８８】
発熱するＬＥＤおよび電源と、熱の悪影響を受けやすいカメラおよびメモリとを別々の区画部に収納したので、カメラとメモリの高寿命化を図ることができる。
【００８９】
以上の実施形態では、本物のカメラを用いる防犯灯を例示したが、犯罪行為の抑止の観点では、ダミーカメラを用いる防犯灯も有効である。以上の実施形態では、本物のカメラはケース内に配置されているので、ダミーカメラを用いる場合には、本物のカメラに替えて、外観は本物のカメラとは見分けのつかないダミーカメラを配置するだけで、本物のカメラを配置している防犯灯とダミーカメラを配置している防犯灯との見分けがつかなくなる。
【００９０】
このように、ダミーカメラを設けるだけで本物の防犯灯と見分けがつかなくなるので、安価にダミーカメラ付防犯灯が提供できる。
【符号の説明】
【００９１】
１００  防犯灯、
１１０  ケース、
１１２  ケース本体、
１１３Ａ−１１３Ｄ、１１７  取り付け孔、
１１４  ケースカバー、
１１５  外周部、
１１６  パッキン、
１１８  分割板、
１１９Ａ  第１区画部、
１１９Ｂ  第２区画部、
１２０  電源基板、
１３０  ＬＥＤ基板、
１３２  照射ＬＥＤ、
１４０  制御基板、
１５０  カメラ/メモリ基板、
１５２  カメラ、
１５４  メモリスロット、
１５４Ｍ  メモリ、
１６０  防水カバー、
１６２  空間部、
１６４  開口部、
１６６  着脱口、
１６５  遮光壁、
２１０  商用電源、
２２０  ＬＥＤ駆動部、
２３２、２３４  抵抗器、
２４０  明暗センサ、
２４２  比較器、
２４４  リセット信号出力部、
２３６、２５４、２６４  スイッチ、
２５０  定電流源、
２５２  防犯監視ＬＥＤ、
２６０  ＤＣ／ＤＣコンバータ、
２６２  警報ＬＥＤ。
【要約】
【課題】画像を記録する機能が内蔵された防犯灯を提供する。
【解決手段】ＬＥＤ基板１３０に取り付けられた照射ＬＥＤ１３２と、画像を撮像するカメラ１５２と、カメラ１５２が撮像した画像を格納するメモリと、照射ＬＥＤ１３２、カメラ１５２、メモリを一括して収納するケース１１０と、を有する。
【選択図】図１【図１】
0005823008.tif 000002
【図２】
0005823008.tif 000003
【図３】
0005823008.tif 000004
【図４】
0005823008.tif 000005
【図５】
0005823008.tif 000006
【図６】
0005823008.tif 000007
【図７】
0005823008.tif 000008